(57)【要約】      （修正有）【課題】基板への電気部品の端子挿入の簡略化及び確実性を図ることが可能な基板穴挿入構造及び基板穴挿入方法を提供する。【解決手段】固定穴２３は、電気部品２１の端子２１ａに対応して基板２０に設けられた、当該端子２１ａを固定するための穴である。ランド２３ａは、前記固定穴２３の外周部に設けられ、前記基板２０の配線と電気的な接続を行うための金属部である。挿入穴２４は、孔径Ｒが、前記固定穴２３の孔径ｒよりも大きく、前記端子２１ａを前記固定穴２３へ挿入するための穴である。スライド穴２５は、前記固定穴２３と前記挿入穴２４との間に、当該挿入穴２４から当該固定穴２３まで幅狭に開口される。前記端子２１ａが前記挿入穴２４に挿入され、当該挿入穴２４から前記スライド穴２５を介して固定穴２３へ向かって一方向へ移動され、当該移動された端子と当該固定穴のランドとが半田で固定されている。【選択図】図２
2016092103.tif 000002
【特許請求の範囲】
【請求項１】
電気部品の端子に対応して基板に設けられた、当該端子を固定するための固定穴と、
前記固定穴の外周部に設けられ、前記基板の配線と電気的な接続を行うためのランドと、
孔径が、前記固定穴の孔径よりも大きく、前記端子を前記固定穴へ挿入するための挿入穴と、
前記固定穴と前記挿入穴との間に、当該挿入穴から当該固定穴まで幅狭に開口されたスライド穴と、
を備え、
前記端子が前記挿入穴に挿入され、当該挿入穴から前記スライド穴を介して固定穴へ向かって一方向へ移動され、当該移動された端子と当該固定穴のランドとが半田で固定されたことを特徴とする基板穴挿入構造。
【請求項２】
前記端子が、複数設けられ、
前記固定穴が、前記端子の数に対応した数で複数設けられ
前記挿入穴及びスライド穴が、前記固定穴の数に対応した数で、前記複数の端子が同等方向へ移動可能な位置に複数設けられた
請求項１に記載の基板穴挿入構造。
【請求項３】
電気部品の端子に対応して基板に設けられた、当該端子を固定するための固定穴と、
前記固定穴の外周部に設けられ、前記基板の配線と電気的な接続を行うためのランドと、
孔径が、前記固定穴の孔径よりも大きく、前記端子を前記固定穴へ挿入するための挿入穴と、
前記固定穴と前記挿入穴との間に、当該挿入穴から当該固定穴まで幅狭に開口されたスライド穴と、
を備えた基板穴挿入構造に対して、
前記端子を前記挿入穴に挿入し、当該挿入穴から前記スライド穴を介して固定穴へ向かって一方向へ移動する移動ステップと、
前記移動された端子と当該固定穴のランドとを半田で固定する固定ステップと、
を備えることを特徴とする基板穴挿入方法。
【発明の詳細な説明】
【技術分野】
【０００１】
本発明は、基板穴挿入構造及び基板穴挿入方法に関する。
【背景技術】
【０００２】
プリンター、複写機、複合機等の画像形成装置では、様々な電気部品を基板に装着している。このような基板に対する電気部品の装着について、多種の技術が存在する。例えば、特開２０００−２６９７０９号公報（特許文献１）には、マイクロ波用コンバータの取り付け方法が開示されている。この方法では、第一プローブの絶縁円筒を導波管のスリット部の外に置き第一プローブの水平部をスリット部に平行に挿入した状態で、第一プローブを水平部の先端方向に向けて移動する。その後、第一プローブをスリット部に対して垂直方向に移動して第一プローブの第一絶縁円筒を導波管の第一プローブ取付穴の円形部に嵌合する。このように、基板の穴の形状に対して電子部品のプローブの形状をスライドさせて嵌合させる。
【先行技術文献】
【特許文献】
【０００３】
【特許文献１】特開２０００−２６９７０９号公報
【発明の概要】
【発明が解決しようとする課題】
【０００４】
しかしながら、従来の取り付け方法では、１つの穴に対して１つのプローブをスライドさせて嵌合させることを想定している。そのため、基板において固定箇所となる穴が複数存在する場合や穴同士が非常に近接している場合、電気部品の挿入部の端子であるプローブのスライドスペースや嵌合スペースを確保することが困難であるという課題がある。又、従来の取り付け方法では、単純な穴の配置に適用することが出来ないという課題がある。
【０００５】
そこで、本発明は、前記課題を解決するためになされたものであり、基板への電気部品の端子の挿入の簡略化及び確実化を図ることが可能な基板穴挿入構造及び基板穴挿入方法を提供することを目的とする。
【課題を解決するための手段】
【０００６】
本発明の一の局面に係る基板穴挿入構造は、固定穴と、ランドと、挿入穴と、スライド穴とを備える。固定穴は、電気部品の端子に対応して基板に設けられた、当該端子を固定するための穴である。ランドは、前記固定穴の外周部に設けられ、前記基板の配線と電気的な接続を行うための金属部である。挿入穴は、孔径が、前記固定穴の孔径よりも大きく、前記端子を前記固定穴へ挿入するための穴である。スライド穴は、前記固定穴と前記挿入穴との間に、当該挿入穴から当該固定穴まで幅狭に開口される。そして、前記端子が前記挿入穴に挿入され、当該挿入穴から前記スライド穴を介して固定穴へ向かって一方向へ移動され、当該移動された端子と当該固定穴のランドとが半田で固定されている。
【０００７】
本発明の一の局面に係る基板穴挿入方法は、固定穴と、ランドと、挿入穴と、スライド穴とを備える基板穴挿入構造に対して、前記端子を前記挿入穴に挿入し、当該挿入穴から前記スライド穴を介して固定穴へ向かって一方向へ移動する移動ステップを備える。又、前記移動された端子と当該固定穴のランドとを半田で固定する固定ステップを備える。
【発明の効果】
【０００８】
本発明の基板穴挿入構造及び基板穴挿入方法によれば、基板への電気部品の端子の挿入の簡略化及び確実化を図ることが可能となる。
【図面の簡単な説明】
【０００９】
【図１】本発明に係る基板穴挿入構造を備えた複合機の内部の全体構成を示す概念図である。
【図２】本発明の実施形態における一つの端子における基板穴挿入構造の挿入形態の一例を示す図（図２Ａ）と、本発明の実施形態における複数の端子における基板穴挿入構造の一例を示す図（図２Ｂ）とである。
【図３】本発明の実施形態における基板穴挿入構造とならない構造の一例を示す図（図３Ａ）と、本発明の実施形態における複数の端子における基板穴挿入構造の挿入形態の一例を示す図（図３Ｂ）とである。
【発明を実施するための形態】
【００１０】
以下に、添付図面を参照して、本発明に係る基板穴挿入構造及び基板穴挿入方法の実施形態について説明し、本発明の理解に供する。尚、以下の実施形態は、本発明を具体化した一例であって、本発明の技術的範囲を限定する性格のものではない。又、フローチャートにおける数字の前に付されたアルファベット「Ｓ」はステップを意味する。
【００１１】
以下に、本発明の実施形態の一例として、基板穴挿入構造を有する画像形成装置について説明する。尚、本発明の画像形成装置は、例えば、ファクシミリ、コピー、スキャナ、プリンター等の機能を備えた複合機（ＭＦＰ：Ｍｕｌｔｉ  Ｆｕｎｃｔｉｏｎ  Ｐｅｒｉｐｈｅｒａｌ）が該当する。
【００１２】
複合機１００は、図１に示すように、操作部を介してユーザーから印刷ジョブの設定条件を受け付けると、画像読取部、画像形成部、搬送部、定着部等の各部を駆動し、当該印刷ジョブを提供する。各部の駆動のために電子部品の電気回路基板が複合機１００に内蔵されており、この基板に設けられた穴に他の電子部品（デバイス）の端子が挿入され、電気的に接続されている。この電子部品には、例えば、レーザースキャニングユニット（ＬＳＵ）等を挙げることが出来る。
【００１３】
尚、複合機１００の制御回路は、図示しないが、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、ＨＤＤ（Ｈａｒｄ  Ｄｉｓｋ  Ｄｒｉｖｅ）、各駆動部に対応するドライバを内部バスによって接続している。
【００１４】
複合機１００のＣＰＵは、例えば、ＲＡＭを作業領域として利用し、ＲＯＭ、ＨＤＤ等に記憶されているプログラムを実行し、当該実行結果に基づいてドライバからのデータ、指示、信号、命令等を授受し、印刷ジョブの実行に関する各駆動部の動作を制御する。
【００１５】
次に、図２を参照しながら、本発明の実施形態に係る構成及び実行手順について説明する。複合機１００の基板２０には、図２Ａに示すように、電気部品２１の端子２１ａに対応して、穴２０ａが設けられている。この穴２０ａは、前記端子２１ａを固定するための固定穴２３と、前記端子２１ａを固定穴２３へ挿入するための挿入穴２４を備えている。この固定穴２３の外周部には、基板２０の配線と電気的な接続を行うためのランド２３ａが設けられている。又、挿入穴２４の孔径Ｒは、固定穴２３の孔径ｒよりも大きく、言い換えると、固定穴２３の孔径ｒは、挿入穴２４の孔径Ｒよりも小さい。又、この固定穴２３と挿入穴２４との間に、当該挿入穴２４から当該固定穴２３まで幅狭に開口されたスライド穴２５が設けられている。尚、スライド穴２５の構成に特に限定は無く、例えば、スライド穴２５の最細部は、電気部品２１の端子２１ａの断面径に等しいか、若干小さく設定されてもよい。
【００１６】
固定穴２３と挿入穴２４とスライド穴２５との配置に特に限定は無いが、例えば、固定穴２３の中心と、挿入穴２４の中心と、スライド穴２５の中心とが一直線Ｌ上に位置すると好ましい。これにより、これらの配置を端子２１ａの移動に対応させることが可能となり、ユーザーが装着し易くなる。
【００１７】
又、電気部品２１の端子２１ａが基板２０の固定穴２３に固定される手順は、下記のようになる。先ず、電気部品２１の端子２１ａが、基板２０の穴２０ａの挿入穴２４に挿入される。次に、電気部品２１の端子２１ａが挿入穴２４からスライド穴２５へ向かって一方向へ移動され、スライド穴２５から固定穴２３へ装着される。これにより、ワンステップの操作で、端子２１ａを固定穴２３に装着することが出来る。
【００１８】
又、図２では、電気部品２１の端子２１ａの挿入穴２４に挿入される部分の形状は、円筒形状であるが、前記挿入穴２４に挿入可能な形状であれば、例えば、多角柱形状等の他の形状でも構わない。又、電気部品２１の端子２１ａは、前記挿入穴２４に変形して挿入されるように、塑性、可撓性、弾性等の変形可能な性質を有する。
【００１９】
ここで、スライド穴２５が挿入穴２４から固定穴２３に向かって幅狭に空けられることで、電気部品２１の端子２１ａが一度固定穴２３に入ると、挿入穴２４へ向かって逆行せず、一方向の移動となる。これにより、端子２１ａを固定穴２３に確実に固定出来る。又、固定穴２３の孔径ｒを挿入穴２４の孔径Ｒよりも小さくすることで、孔のための無駄なスペースを取らずに済む。更に、端子２１ａも通常の形状で済むとともに、端子２１ａの挿入形態も一方向への移動のみとなるため、電気部品２１の端子２１ａの装着が簡素化される。
【００２０】
そして、固定穴２３に装着された端子２１ａと固定穴２３のランド２３ａとが半田で固定されると、基板２０の配線と電気部品２１の端子２１ａが電気的に接続される。これにより、基板２０の固定穴２３への電気部品２１の端子２１ａの固定が完了する。
【００２１】
又、このような基板穴挿入構造は、複数の端子を持つ電気部品の固定に応用することが出来る。例えば、図２Ｂに示すように、電気部品２１の端子２１ａが複数設けられ、この端子２１ａの数に対応した数で、固定穴２３が複数設けられる。そして、当該固定穴２３の数に対応した数で、前記複数の端子２１ａが同等方向へ移動可能な位置に挿入穴２４とスライド穴２５とが複数設けられる。
【００２２】
ここで、前記複数の端子２１ａが同等方向へ移動可能な位置とは、図２Ｂに示すように、図２Ｂに示すように、挿入穴２４の中心と固定穴２３の中心との直線Ｌが相互に平行となる位置か、挿入穴２４の中心と固定穴２３の中心との直線Ｌの交点Ｐに対して、いずれの挿入穴２４も１８０度の扇状の範囲内となる位置を意味する。これにより、複数の端子２１ａを同等方向（一方向）にスライドさせると、全て固定穴２３に装着させることが可能となる。また、この場合、各挿入穴２４の中心と交点Ｐとの間の距離が等しく、また、各固定穴２３の中心と交点Ｐとの間の距離が等しくされるのが好ましい。
【００２３】
尚、図３Ａに示すように、挿入穴２４の中心と固定穴２３の中心との直線Ｌの交点Ｐに対して、挿入穴２４が１８０度の扇状の範囲外となる位置の場合、例えば、挿入穴２４が放射状に配置された場合、挿入穴２４を設けるためのスペースが必要になるとともに、複数の端子２１ａを同等方向にスライドさせることが出来なくなり、全ての端子２１ａが全ての固定穴２３に装着し難くなる。
【００２４】
ここで、複数の端子２１ａが複数の固定穴２３に固定される手順は、下記のようになる。先ず、図３Ｂに示すように、２つの固定穴２３があり、これに対して外側にそれぞれ２つの挿入穴２４が存在する場合、電気部品２１の２つの端子２１ａが挿入穴２４に対応して広げられる。この場合、２つの端子２１ａの変形可能な性質が活かされる。ここで、２つの端子２１ａが広げられることで、両者にややストレスが掛かった状態となる。
【００２５】
次に、２つの端子２１ａが同等方向へスライドさせられると、挿入穴２４からスライド穴２５を介して固定穴２３へそれぞれ装着される。ここで、２つの端子２１ａは先ほど広げられたものの、固定穴２３に装着されると、その広がりが元に戻った状態となる。つまり、先ほどのストレスが解消される。言い換えると、固定穴２３に装着された２つの端子２１ａは、このストレスを再度掛けないと挿入穴２４へ戻せなくなり、固定穴２３からの外れを更に防止することが出来る。
【００２６】
そして、固定穴２３に装着された２つの端子２１ａと、対応する固定穴２３のランド２３ａとが半田で固定されると、２つの端子２１ａの固定が完了する。
【００２７】
尚、本発明の実施形態に係る基板穴挿入構造及び基板穴挿入方法は、複合機１００に適用した場合について説明したが、特に限定はなく、例えば、基板と電気部品とを電気的に接続する必要がある画像形成装置、画像処理装置、画像加工装置、画像表示装置、処理装置、電子装置等に適用しても、同一の作用効果を奏する。
【産業上の利用可能性】
【００２８】
以上のように、本発明に係る基板穴挿入構造及び基板穴挿入方法は、複合機はもちろん、複写機、プリンター等の電子装置に有用であり、基板への電気部品の端子の挿入の簡略化及び確実化を図ることが可能な基板穴挿入構造及び基板穴挿入方法として有効である。
【符号の説明】
【００２９】
１００  複合機
２０  基板
２１  電気部品
２１ａ  端子
２３  固定穴
２４  挿入穴
２５  スライド穴
【図１】
2016092103.tif 000003
【図２】
2016092103.tif 000004
【図３】
2016092103.tif 000005